(57)【要約】      （修正有）【課題】タービンブラシの底面に設けられた吸込スロットに布団等が挟み込まれたり吸い付いたりしないこと。また、管理及びメンテナンスを簡易に行うことができるような構造の電気掃除機用タービンブラシを提供する。【解決手段】電気掃除機用タービンブラシは、吸込スロット２１が形成されている下部ケース体１２及び上部ケース体１１を含むブラシ本体１０と；ブラシ毛２５を備えたアジテーターユニット２０と；下部ケース体１２に回転自在に支持されたタービンユニット３０；及びアジテーターユニット２０とタービンユニット３０とを連動させる動力伝達ユニット５０とを含み、吸込スロット２１には、布団や布等が吸込力によりブラシ本体１０の内部に吸い込まれないように複数のリブ２２が備えられ、ブラシ毛２５は、少なくとも一部分が吸込スロット２１を通過して被掃除面と接触できるように吸込スロット２１と対応する間隔で設けられている。【選択図】図３
2005000643.tif 000002
【特許請求の範囲】
【請求項１】
被掃除面から外気を吸い込むことができるように吸込スロットが形成されている下部ケース体及び上部ケース体を含むブラシ本体と；
前記下部ケース体に回転自在に支持され、ブラシ毛を備えたアジテーターユニットと；
前記下部ケース体に回転自在に支持され、掃除機の吸気流により回転するタービンユニット；及び
前記アジテーターユニットと前記タービンユニットとを連動させる動力伝達ユニットとを含み、
前記下部ケース体の前記吸込スロットには、布団や布等が掃除機の吸込力により前記ブラシ本体の内部に吸い込まれないように複数のリブが備えられ、前記ブラシ毛は、少なくとも一部分が前記吸込スロットを通過して被掃除面と接触できるように前記吸込スロットと対応する間隔で設けられていることを特徴とする電気掃除機のタービンブラシ。
【請求項２】
前記上部ケース体は、ブラシ本体の内部が透けて見えるように透明であることを特徴とする請求項１に記載の電気掃除機のタービンブラシ。
【請求項３】
前記上部ケース体の前方には少なくとも１つ以上の第１のタップが形成され、後方には少なくとも１つ以上の第２のタップが形成されており、前記下部ケース体の前方には、前記第１のタップと対応するスロットが備えられ、後方には前記第２のタップと対応するロック部材が備えられていることを特徴とする請求項１に記載の電気掃除機のタービンブラシ。
【請求項４】
前記アジテーターユニットは、アジテーター及び前記アジテーターを支持し前記下部ケース体の両側壁に固定される連結部材を含むことを特徴とする請求項１に記載の電気掃除機のタービンブラシ。
【請求項５】
前記連結部材は、回転するアジテーターの軸を支持する軸受及び前記軸受を取り囲む第１のリテーナーを含み、前記下部ケース体の両側壁には、前記第１のリテーナーが着脱自在に固定できるガイド壁が備えられていることを特徴とする請求項４に記載の電気掃除機のタービンブラシ。
【請求項６】
前記タービンユニットは、タービン、タービン軸、及び前記タービン軸を支持する第２のリテーナーとを含むことを特徴とする請求項１に記載の電気掃除機のタービンブラシ。
【請求項７】
前記動力伝達ユニットは、前記タービンユニットに設けられる第１のプーリーと、前記アジテーターユニットに設けられる第２のプーリー、及び前記第１のプーリーと前記第２のプーリーとの間に張設するベルトとを含むことを特徴とする請求項１に記載の電気掃除機のタービンブラシ。
【請求項８】
前記リブは、中心よりは先端に向かうにつれてその幅が大きくなるように構成されたことを特徴とする請求項１に記載の電気掃除機のタービンブラシ。
【請求項９】
被掃除面から外気を吸い込むことができるように吸込スロットが形成されている下部ケース体及び透明な材質で構成された上部ケース体を含むブラシ本体と；
前記下部ケース体に回転自在に支持され、ブラシ毛を備えたアジテーターユニットと；
前記下部ケース体に回転自在に支持され、掃除機の吸気流により回転するタービンユニットと；
前記アジテーターユニットと前記タービンユニットとを連動させる動力伝達ユニット；及び
前記ブラシ本体の後方に連結されている後方排気管とを含み、
前記下部ケース体の前記吸込スロットには、布団や布等が掃除機の吸込力により前記ブラシ本体の内部に吸い込まれないように複数のリブが備えられ、前記ブラシ毛は、少なくとも一部分が前記吸込スロットを通過して被掃除面と接触できるように前記吸込スロットと対応する間隔で設けられたことを特徴とする電気掃除機のタービンブラシ。
【請求項１０】
前記後方排気管は、掃除機の延長管に連結できるようにロックユニットを含むことを特徴とする請求項９に記載の電気掃除機のタービンブラシ。
【請求項１１】
前記ロックユニットは、フック部材と押しボタンから構成されたことを特徴とする請求項１０に記載の電気掃除機のタービンブラシ。
【請求項１２】
前記上部ケース体の前方には少なくとも１つの第１のタップが形成され、後方には少なくとも１つの第２のタップが形成されており、前記下部ケース体の前方には、前記第１のタップと対応するスロットが備えられ、後方には前記第２のタップと対応するロック部材が備えられていることを特徴とする請求項９に記載の電気掃除機のタービンブラシ。
【請求項１３】
前記アジテーターユニットは、アジテーター及び前記アジテーターを支持し前記下部ケース体の両側壁に固定される連結部材を含むことを特徴とする請求項９に記載の電気掃除機のタービンブラシ。
【請求項１４】
前記連結部材は、回転するアジテーターの軸を支持する軸受及び前記軸受を取り囲む第１のリテーナーを含み、前記下部ケース体の両側壁には、前記第１のリテーナーが着脱自在に固定できるガイド壁が備えられていることを特徴とする請求項１３に記載の電気掃除機のタービンブラシ。
【請求項１５】
前記タービンユニットは、タービンと、タービン軸、及び前記タービン軸を支持する第２のリテーナーとを含むことを特徴とする請求項９に記載の電気掃除機のタービンブラシ。
【請求項１６】
前記動力伝達ユニットは、前記タービンユニットに設けられる第１のプーリーと、前記アジテーターユニットに設けられる第２のプーリー、及び前記第１のプーリーと前記第２のプーリーとの間に張設するベルトとを含むことを特徴とする請求項９に記載の電気掃除機のタービンブラシ。
【請求項１７】
前記リブは、中心よりは先端に向かうにつれてその幅が大きくなるように構成されたことを特徴とする請求項９に記載の電気掃除機のタービンブラシ。
【発明の詳細な説明】
【技術分野】
【０００１】
本発明は、電気掃除機のタービンブラシに関し、より詳しくは、底面に吸着防止用リブが形成された電気掃除機のタービンブラシに関する。
【背景技術】
【０００２】
図１は、一般の電気掃除機を示す図であって、電気掃除機のタービンブラシ１は、被掃除面に接した状態で被掃除面に沿って移動しながら被掃除面から掃除機本体５に至る吸気流路を形成する。これにより被掃除面に存在する各種のゴミは、空気と共にブラシから掃除機本体内に吸い込まれる。
【０００３】
前記吸気流路は、ブラシ１に連結される延長管２と、作動把手部３、及びフレキシブルホース組立体４とを含む。
【０００４】
一方、被掃除面がカーペットのような織物である場合、被掃除面の埃をその表面から浮遊させると埃をより効率良く取り除くことができる。このような必要に応じて被掃除面を掻き取ったり打撃を与えたりすることにより被掃除面の埃等を浮遊させるアジテーターを有するブラシが提案された。
【０００５】
前記のような電気掃除機のタービンブラシ１は、殆どがブラシ本体内に吸込スロットを有するアジテーター収納室、及び前記アジテーター収納室と隔壁により区画され吸気流路を介して前記アジテーター収納室に連結されるタービン収納室を備える。
【０００６】
図２は、このような電気掃除機のブラシ１の典型的な一例を示す一部分解斜視図であって、同図に示すように、従来の電気掃除機のタービンブラシ１は、ブラシ本体１０、アジテーターユニット２０、及びタービンユニット３０を含む。
【０００７】
ブラシ本体１０は、上部ケース体１１及び上部ケース体１１と結合された下部ケース体１２を含む。上部ケース体１１は、半透明のプラスチック材質で形成され、下部ケース体１２は、前方の底面に吸込スロット２１が形成される。
【０００８】
また、ブラシ本体１０の後方には、掃除機本体１０の延長管２に連結された後方排気管６０が設けられる。後方排気管６０は、ボールスプリング構造で形成された結合部材４１により延長管２に脱着自在になる。
【０００９】
そして、下部ケース体１２の縁部の外周面に沿って突条２２が延在し、上部ケース体１１に前記突条と係合する溝（図示せず）が形成されて気密に結合される。また、上部ケース体１１は、下部ケース体１２に多数個のネジでネジ止めされることにより組み付け可能である。
【００１０】
ブラシ本体１０の内部には、アジテーター収納室１４とタービン収納室１５が形成される。また、下部ケース体１２の底部には、アジテーター収納室１４と連通する吸込スロット２１が形成される。
【００１１】
吸込スロット２１は、下部ケース体１２の底面に長方形の形態で軸方向に延在し、この吸込スロット２１からアジテーターユニット２０が被掃除面と接触するようになる。
【００１２】
アジテーター収納室１４とタービン収納室１５は、隔壁１７により区画され、この隔壁１７のほぼ中央部には、アジテーター収納室１４とタービン収納室１５とを連通させるための吸気流路１６が形成される。
【００１３】
また、アジテーターユニット２０は、ブラシ本体１０のアジテーター収納室１４に回転自在に設けられ、タービンユニット３０は、ブラシ本体１０のタービン収納室１５に回転自在に設けられる。そして、アジテーターユニット２０には、複数のブラシ毛２５が等間隔で配置される。
【００１４】
アジテーターユニット２０とタービンユニット３０とは、動力伝達ユニット５０により連結される。動力伝達ユニット５０は、タイムベルトのような形態で構成される。
【００１５】
タービンユニット３０は、タービン３５と、タービン３５を軸方向に貫通するタービン軸３７と、タービン軸３７の両端に結合されたリテーナー３９、及びリテーナー３９とタービン軸３７との間に連結され下部ケース体１２に支えられて回転する軸受部材３３とを含む。
【００１６】
このような構成により、タービンブラシ１に吸込力が働くと、タービン３５が回転し、この結果、アジテーターユニット２０も回転するようになる。即ち、タービン３５は、吸込スロット２１、アジテーター収納室１４、吸気流路１６及びタービン収納室１５を経由してタービン収納室１５に連結される後方排気管６０に吸い込まれる吸気流により回転し、この回転に伴い、アジテーターユニット２０が回転しながら被掃除面の床面を掻き取ったり打撃したりして床面の埃を浮遊させるようになる。
【００１７】
しかし、前記のような一般の電気掃除機のタービンブラシ１を使用するに際し、次のような問題がある。
【００１８】
第一に、タービンブラシ１の底面がアジテーターユニット２０の軸方向に延在した長方形の形態の吸込スロット２１から構成され、アジテーターユニット２０の回転の際、被掃除面の布団や織物等が吸込スロット２１に挟み込まれたりアジテーターユニット２０に吸い付いてしまったりして掃除が困難になり、かかる状態が持続すると、掃除機本体５に過負荷を与えることになるため、故障の原因になる。
【００１９】
第二に、従来のタービンブラシ１の上部ケース体１１は、半透明のプラスチック材質で構成され、ブラシ本体１０の内部状態を把握し難く、また、内部状態を把握するために上部ケース体１１を取り外す時、その取り外しの仕組みが簡易ではないため、掃除機の管理が困難である。
【００２０】
第三に、ブラシ本体１０の上部ケース体１１を取り外してブラシ本体１０をひっくり返すと、タービンユニット３０がブラシ本体１０から離脱し易い構造となっているため、タービンブラシ１の管理及びメンテナンスが困難である。
【発明の開示】
【発明が解決しようとする課題】
【００２１】
本発明は、前記のような問題点に鑑みてなされたものであって、その目的は、タービンブラシの底面に設けられた吸込スロットに布団等が挟み込まれたり吸い付いたりしない電気掃除機のタービンブラシを提供することである。
【００２２】
また、本発明の他の目的は、管理及びメンテナンスを簡易に行うことができるようにその構造が改善された電気掃除機のタービンブラシを提供することである。
【課題を解決するための手段】
【００２３】
前記のような目的を達成するための本発明にかかる電気掃除機のタービンブラシは、被掃除面から外気を吸い込むことができるように吸込スロットが形成されている下部ケース体及び上部ケース体を含むブラシ本体と；前記下部ケース体に回転自在に支持され、ブラシ毛を備えたアジテーターユニットと；前記下部ケース体に回転自在に支持され、掃除機の吸気流により回転するタービンユニット；及び前記アジテーターユニットと前記タービンユニットとを連動させる動力伝達ユニットとを含み、前記下部ケース体の前記吸込スロットには、布団や布等が掃除機の吸込力により前記ブラシ本体の内部に吸い込まれないように複数のリブが備えられ、前記ブラシ毛は、少なくとも一部分が前記吸込スロットを通過して被掃除面と接触できるように前記吸込スロットと対応する間隔で設けられていることを特徴とする。
【００２４】
そして、前記上部ケース体は、ブラシ本体の内部が透けて見えるように透明であることが好ましい。
【００２５】
また、前記上部ケース体の前方には少なくとも１つ以上の第１のタップが形成され、後方には少なくとも１つ以上の第２のタップが形成されており、前記下部ケース体の前方には、前記第１のタップと対応するスロットが備えられ、後方には前記第２のタップと対応するロック部材が備えられていることが良い。
【００２６】
この際、前記アジテーターユニットは、アジテーター及び前記アジテーターを支持し前記下部ケース体の両側壁に固定される連結部材を含むことが好ましい。
【００２７】
そして、前記連結部材は、回転するアジテーターの軸を支持する軸受及び前記軸受を取り囲む第１のリテーナーを含み、前記下部ケース体の両側壁には、前記第１のリテーナーが着脱自在に固定できるガイド壁が備えられ得る。
【００２８】
また、前記タービンユニットは、タービンと、タービン軸、及び前記タービン軸を支持する第２のリテーナーとを含むことが良い。
【００２９】
この際、前記動力伝達ユニットは、前記タービンユニットに設けられる第１のプーリーと、前記アジテーターユニットに設けられる第２のプーリー、及び前記第１のプーリーと前記第２のプーリーとの間に張設するベルトとを含むように構成することができる。
【００３０】
そして、前記リブは、中心よりは先端に向かうにつれてその幅が大きくなるように構成されたことが好ましい。
【００３１】
本発明にかかるタービンブラシは、被掃除面から外気を吸い込むことができるように吸込スロットが形成されている下部ケース体及び透明な材質で構成された上部ケース体を含むブラシ本体と；前記下部ケース体に回転自在に支持され、ブラシ毛を備えたアジテーターユニットと；前記下部ケース体に回転自在に支持され、掃除機の吸気流により回転するタービンユニットと；前記アジテーターユニットと前記タービンユニットとを連動させる動力伝達ユニット；及び前記ブラシ本体の後方に連結されている後方排気管とを含み、前記下部ケース体の前記吸込スロットには、布団や布等が掃除機の吸込力により前記ブラシ本体の内部に吸い込まれないように複数のリブが備えられ、前記ブラシ毛は、少なくとも一部分が前記吸込スロットを通過して被掃除面と接触できるように前記吸込スロットと対応する間隔で設けられたことを特徴とする。
【００３２】
そして、前記後方排気管は、掃除機の延長管に連結できるようにロックユニットを含むことが良い。
【００３３】
また、前記ロックユニットは、フック部材と押しボタンから構成されたことが好ましく、前記上部ケース体の前方には少なくとも１つの第１のタップが形成され、後方には少なくとも１つの第２のタップが形成されており、前記下部ケース体の前方には、前記第１のタップと対応するスロットが備えられ、後方には前記第２のタップと対応するロック部材が備えられていることが良い。
【００３４】
そして、前記アジテーターユニットは、アジテーター及び前記アジテーターを支持し前記下部ケース体の両側壁に固定される連結部材を含むことが好ましい。
【００３５】
また、前記連結部材は、回転するアジテーターの軸を支持する軸受及び前記軸受を取り囲む第１のリテーナーを含み、前記下部ケース体の両側壁には、前記第１のリテーナーが着脱自在に固定できるガイド壁が備えられていることが良く、前記タービンユニットは、タービンと、タービン軸、及び前記タービン軸を支持する第２のリテーナーとを含むことが好ましい。
【００３６】
更に、前記動力伝達ユニットは、前記タービンユニットに設けられる第１のプーリーと、前記アジテーターユニットに設けられる第２のプーリー、及び前記第１のプーリーと前記第２のプーリーとの間に張設するベルトとを含み得る。
【００３７】
そして、前記リブは、中心よりは先端に向かうにつれてその幅が大きくなるように構成されたことが好ましい。
【発明の効果】
【００３８】
本発明にかかる電気掃除機のタービンブラシによると、底面に形成されたリブにより布団や毛織物等に掃除機をかける時の吸着を防止し、更に、かかる吸着による電気掃除機の故障を防止することができる。
【００３９】
また、前記ブラシ本体の透明な上部ケース体から内部状態を容易に把握し、故障に際する上部ケース体の取り外しが容易となり、タービンの離脱防止構造によりタービンブラシの管理及びメンテナンスが容易になる。
【発明を実施するための最良の形態】
【００４０】
以下、本発明の好適な実施の形態を、添付した図面に基づいて詳細に説明する。参考までに、本発明の実施の形態を説明するに当たって、従来の技術とその構成及び作用が同一の部分及び部材に対しては、同一の参照符号を付して引用する。
【実施例】
【００４１】
図３は、本発明にかかる底面のリブを含む電気掃除機のタービンブラシを示す要部斜視図であり、図４は、本発明にかかるタービンブラシの側面図である。図３に示すような本発明にかかる電気掃除機のタービンブラシは、ブラシ本体１０と、ブラシ本体１０内に備えられたアジテーターユニット２０と、タービンユニット３０と、アジテーターユニット２０とタービンユニット３０とを連結する動力伝達ユニット５０、及びブラシ本体１０の後方に連結されている後方排気管６０とを含む。
【００４２】
ブラシ本体１０は、被掃除面から外気を吸い込むことができるように吸込スロット２１が形成されている下部ケース体１２及び下部ケース体１２と結合する上部ケース体１１を含み、図４に示すように、ブラシ本体１０の内部には、アジテーター収納室１４及びタービン収納室１５が形成される。
【００４３】
アジテーター収納室１４とタービン収納室１５とは、隔壁１７により区画され、この隔壁１７のほぼ中央部には、アジテーター収納室１４とタービン収納室１５とを連通させるための吸気流路１６が形成される。
【００４４】
上部ケース体１１は、透明な材質で構成され、ブラシ本体１０の内部が透けて見え、従って、掃除機の管理及びメンテナンスが容易になる。好ましくは、上部ケース体１１は、透明なプラスチック材質でなることが良い。
【００４５】
また、下部ケース体１２は、回転自在に支持され収納室１４に収納されるアジテーターユニット２０及びタービン収納室１５に収納され掃除機の吸気流により回転するタービンユニット３０を含む。そして、アジテーターユニット２０は、一定間隔で形成されたブラシ毛２５を備える。
【００４６】
そして、上部ケース体１１の前方には少なくとも１つの第１のタップ３１が形成され、後方には少なくとも１つの第２のタップ３３が形成されており、下部ケース体１２の前方には、第１のタップ３１と対応するスロット７１が備えられ、後方には第２のタップ３３と対応するロック部材７２が備えられる。かかる構成により、上部ケース体１１を下部ケース体１２から取り外す時、ロック部材７２の両側面を押圧することで容易に行うことができる。従って、タービンブラシの内部管理が容易になる。
【００４７】
また、下部ケース体１２の吸込スロット２１には、布団や布等が掃除機の吸込力によりブラシ本体１０の内部に吸い込まれないように複数のリブ２２が備えられる。そして、ブラシ毛２５は、少なくとも一部分が吸込スロット２１を通過して被掃除面と接触できるように吸込スロット２１と対応する間隔で設けられる。好ましくは、ブラシ毛２５は、一定の間隔で螺旋状に配置される形態が良く、アジテーターユニット２０は、吸込スロット２1に対応する区間毎に複数の毛を備えることもできる。
【００４８】
また、リブ２２は、中心よりは先端に向かうにつれてその幅が大きくなるように構成される。かかる構成によりブラシ毛２５がリブ２２間の隙間に容易に収められて掃除面を掃除するようになる。そして、リブ２２は、中心より両端にいくにつれてその幅が大きくなるように構成することもできる。
【００４９】
アジテーターユニット２０は、アジテーター２７及びアジテーター２７を支持し下部ケース体１２の両側壁に固定される連結部材２９を含む。
【００５０】
また、連結部材２９は、回転するアジテーター２７の軸を支持する軸受２９ａ及び軸受２９ａを取り囲む第１のリテーナー２９ｂを含み、下部ケース体１２の両側壁には、第１のリテーナー２９ｂが着脱自在に固定できるガイド突起７７が形成されたガイド壁７５が備えられる。
【００５１】
図５は、タービンブラシのタービンユニットの拡大斜視図である。図３及び図５に示すように、タービンユニット３０は、タービン３５と、タービン軸３７及びタービン軸３７を支持する第２のリテーナー３９とを含む。かかる構成のタービンユニット３０は、図２に示す従来のタービンユニット２０に比べて構成部品の点数が減少し、また、第２のリテーナー３９が下部ケース体１２の後方のタービン収納室１５に形成された溝１８に直接設けられるため、上部ケース体１１と下部ケース体１２との分離に際するタービンユニット３０の離脱を防止することができる。
【００５２】
図６は、本発明にかかるタービンブラシの平面図である。図３及び図６に示すように、動力伝達ユニット５０は、タービンユニット３０に設けられる第１のプーリー５１と、アジテーターユニット２０に設けられる第２のプーリー５３及び第１のプーリー５１と第２のプーリー５３との間に張設するベルト５５とを含む。
【００５３】
そして、後方排気管６０は、掃除機の延長管（図示せず）に連結できるようにロックユニット６５を含む（図４参照）。
【００５４】
ロックユニット６５は、前記後方排気管の後方の内部の一側に設けられたフック部材６１とフック部材６１と連動する押しボタン６３から構成される。
【００５５】
この際、電気掃除機の延長管２がタービンブラシ１に結合された状態では、フック部材６１は、延長管のフック部材６１に対応する係合溝８９に係合する。この時、押しボタン６３を押すと、これと連動するフック部材６１が上方に移動して延長管２の内部の係合溝８９を離脱し、延長管２は、タービンブラシ１から取り外される。
【００５６】
このような構成により、タービンブラシ１に吸込力が働くと、タービン３５が回転し、この結果、動力伝達ユニット５０を介してアジテーターユニット２０も回転するようになる。即ち、タービン３５は、吸込スロット２１、アジテーター収納室１４、吸気流路１６及びタービン収納室１５を経由してタービン収納室１５に連結される後方排気管６０に吸い込まれる吸気流により回転し、この回転に伴い、アジテーターユニット２０が回転しながら被掃除面の床面を掻き取ったり打撃したりして床面の埃を浮遊させるようになる。
【００５７】
布団や織物等に掃除機をかける場合は、布団等がタービンブラシ本体１０の吸込スロット２１から内部に吸い込まれ得るが、吸込スロット２１の間に形成された吸着防止用リブ２２により布団等が吸い込まれることが防止される。しかも、このようなリブ２２間の隙間に対応する間隔でブラシ毛２５が備えられ、アジテーター２７の回転と共に回転しながら、リブ２２の間から布団等の掃除面を叩いたりして布団等から容易に埃やゴミ等を取り除くことができる。
【００５８】
また、このような作業の途中、ブラシ本体１０の内部に異常が発生若しくは故障が発生した場合、上部ケース体１１が透明であるため、外から即座にその状態を把握することができ、かかる故障の際、上部ケース体１１及び下部ケース体１２に形成された容易な着脱構造により両者を容易に分離することができる。
【００５９】
更に、このように分離した場合、タービンユニット３０が下部ケース体１２に密着した構造に設けられているため、分離されたボディをひっくり返す場合でもタービンユニット３０が離脱し難くなる。
【００６０】
このような構造のタービンブラシは、一般に電気掃除機の補助ブラシとして使用されるが、一般のブラシの形態にして大型に製作する場合は、カーペット等の掃除用のブラシとしても使用できる。
【００６１】
以上、本発明を本発明の原理を例示するための好適な実施の形態に関連して説明し図示したが、本発明は、そのように図示され説明された通りの構成及び作用に限定されるものではない。却って、添付された特許請求の範囲の思想及び範疇を逸脱することなく多様な変更及び修正が可能であることを当業者であればよく理解できるはずである。従って、かかる全ての適切な変更及び修正と均等物も本発明の範囲に属することとみなすべきである。
【産業上の利用可能性】
【００６２】
本発明は、電気掃除機のタービンブラシに関し、より詳しくは、底面の吸着防止用リブが形成された電気掃除機のタービンブラシに関し、電気掃除機に適用し得る。
【図面の簡単な説明】
【００６３】
【図１】一般の電気掃除機を示す斜視図である。
【図２】従来のタービンブラシを示す一部分解斜視図である。
【図３】本発明にかかる底面のリブを含む電気掃除機のタービンブラシを示す要部斜視図である。
【図４】本発明にかかるタービンブラシの側面図である。
【図５】本発明にかかるタービンブラシのタービンユニットの拡大斜視図である。
【図６】本発明にかかるタービンブラシの平面図である。
【符号の説明】
【００６４】
１０    タービンブラシ本体
１１、１２  上部及び下部ケース体
１４  アジテーター収納室
１５  タービン収納室
１６  吸気流路
１７  隔壁
１８  溝
２０  アジテーターユニット
２１  吸込スロット
２２  リブ
２５  ブラシ毛
２７  アジテーター
２９  連絡部材
２９ａ  軸受
２９ｂ  第１のリテーナー
３０  タービンユニット
３１  第１のタップ
３３  第２のタップ
３５  タービン
３７  タービン軸
３９  第２のリテーナー
５０  動力伝達ユニット
５１  第１のプーリー
５３  第２のプーリー
５５  ベルト
６０  後方排気管
６５  ロックユニット
６１  フック部材
６３  押しボタン
７１  スロット
７２  ロック部材
７５  ガイド壁
７７  ガイド突起
８９  係合溝
【図１】
2005000643.tif 000003
【図２】
2005000643.tif 000004
【図３】
2005000643.tif 000005
【図４】
2005000643.tif 000006
【図５】
2005000643.tif 000007
【図６】
2005000643.tif 000008